(57)【要約】【課題】  ボックスカバーにおいて、ボックスを装着する際にボックスの嵌合部から加わる荷重によって全体が傾斜したり歪んだりすることを確実に防止し、型枠等への固定状態を正規の状態に確実に維持する【解決手段】  ボックスカバー２０は、鍔部２１と、鍔部２１の外周縁部より内側で鍔部２１の厚さ方向一側面から突出する所定突出長の周壁状をなす塗代部２２とを備える。また、ボックスカバー２０は、鍔部２１の外周縁部において、ボックス１０の開口周縁部に所定間隔で設けられた嵌合爪部１６と整合する位置にそれぞれ設けられ、圧入によりボックス１０の嵌合爪部１６とそれぞれ嵌合自在な嵌合凹部２５と、鍔部２１の外周縁部または外周縁部近傍において嵌合凹部２５と対応する位置にそれぞれ設けられると共に、鍔部２１の厚さ方向一側面から塗代部２２の突出長と略同一の突出長で突出する支持突起３２とを備える。【選択図】  図１
2006333692.tif 000002
【特許請求の範囲】
【請求項１】
ボックスの開口周縁部に装着されて、前記ボックスの開口を覆うボックスカバーであって、
前記ボックスの開口周縁部に対応する形状の外周縁部を有する板状の鍔部と、
前記鍔部の外周縁部より内側で前記鍔部の厚さ方向一側面から突出する所定突出長の周壁状をなす塗代部と、
前記鍔部の外周縁部において、前記ボックスの開口周縁部に所定間隔で設けられた嵌合部と整合する位置にそれぞれ設けられ、圧入により前記ボックスの嵌合部とそれぞれ嵌合自在な被嵌合部と、
前記鍔部の外周縁部または外周縁部近傍において前記被嵌合部と対応する位置にそれぞれ設けられると共に、前記鍔部の厚さ方向一側面から前記塗代部の突出長と略同一の突出長で突出する支持突起と
を備えることを特徴とするボックスカバー。
【請求項２】
前記ボックスの嵌合部及び前記鍔部の被嵌合部の一方を所定長さの嵌合爪部より構成すると共に、他方を前記嵌合爪部と同一外形の嵌合凹部より構成し、
前記鍔部の支持突起を、前記被嵌合部の長さ方向の略中央位置から突出する棒状に形成したことを特徴とする請求項1記載のボックスカバー。
【請求項３】
開口周縁部において互いに対向する一対の対向側縁部の外面に各一対の嵌合爪部を所定間隔で形成したボックスの前記開口周縁部に装着されて、前記ボックスの開口周縁部の内側に形成される開口を覆うボックスカバーであって、
前記ボックスの開口周縁部に対応する形状の外周縁部を有する板状の鍔部と、
前記鍔部の外周縁部より内側で前記鍔部の厚さ方向一側面から突出する所定突出長の周壁状をなす塗代部と、
前記鍔部の外周縁部の厚さ方向他側面から突出し、前記ボックスの開口周縁部の一対の対向側縁部の各々の外面に密接自在な内面を有する周壁状をなし、当該内面において前記ボックスの開口周縁部の一対の嵌合爪部と整合する位置に、それぞれ、前記ボックスの嵌合爪部を圧入して嵌合固定自在な一対の嵌合凹部を有する外壁部と、
前記鍔部の厚さ方向一側面の外周縁部または外周縁部近傍において、前記ボックスの嵌合爪部を前記外壁部の嵌合凹部に圧入するときに前記嵌合爪部から前記鍔部の外周縁部に加わる荷重ベクトルの略延長線上で当該荷重ベクトルを支持するよう、前記嵌合凹部と対応する位置にそれぞれ設けられると共に、前記荷重ベクトルと略一致する方向へと前記鍔部の厚さ方向一側面から前記塗代部の突出長と略同一の突出長で突出する支持突起と
を備えることを特徴とするボックスカバー。
【請求項４】
前記外壁部の嵌合凹部は、前記外壁部の長さ方向に沿って所定長さを有する直線凹部状をなし、
前記支持突起は、前記鍔部の外周縁部における前記嵌合凹部の長さ方向の中心位置に配置され、前記ボックスの嵌合爪部を前記鍔部の嵌合凹部に圧入するときに前記嵌合爪部から前記鍔部の外周縁部に加わる荷重ベクトルの略延長線上で、前記荷重ベクトルと略一致する方向へと前記鍔部の厚さ方向一側面から前記突出長で突出する棒状をなし、当該棒状の軸心を前記荷重ベクトルに略一致させることで、当該荷重ベクトルを直接的に支持することを特徴とする請求項3記載のボックスカバー。
【請求項５】
前記外壁部は、更に、前記ボックスの嵌合爪部を前記嵌合凹部に圧入するときに前記ボックスの嵌合爪部と当接する内端縁の部位に、前記嵌合凹部の長さと略同一長さを有し、前記ボックスの嵌合爪部を前記嵌合凹部に案内する傾斜面状の案内面を形成し、
前記支持突起は、前記案内面の長さ方向の中心位置に一致して配置され、前記ボックスの嵌合爪部を前記鍔部の嵌合凹部に圧入するときに前記嵌合爪部から前記外壁部の案内面を介して前記鍔部の外周縁部に加わる荷重ベクトルの延長線上で、その軸心を前記荷重ベクトルに一致させることで、その軸心方向応力により前記荷重ベクトルを直接的に支持することを特徴とする請求項４記載のボックスカバー。
【請求項６】
前記支持突起は、前記塗代部の突出長より若干短い突出長を有することを特徴とする請求項１乃至５のいずれか1項記載のボックスカバー。
【発明の詳細な説明】
【技術分野】
【０００１】
本発明は、コンクリートボックスや配線ボックス等のボックスの開口側の外周縁に装着されて当該ボックスの開口を覆うボックスカバーに関し、特に、鍔部から突出する塗代部を型枠等の取付対象物に当接させた状態で当該取付対象物に固定されるタイプのボックスカバーに関する。
【背景技術】
【０００２】
従来、この種の技術として、例えば、特許文献１に記載の技術がある。
【特許文献１】特開２００４−８８８２２号公報
【０００３】
特許文献１には、別途に取付具等を要せず、ボックス装置を簡単かつ安価にコンクリート内に埋設することができるボックス装置及びボックスカバーが開示されている。このボックス装置は、ボックス及びボックスカバーを備える。ボックスは、前面に開口が形成され、側壁と底壁を備えた筐体状に形成されている。また、ボックスの開口の周縁の８箇所には、外方に突出する嵌合部が設けられている嵌合部は、ボックスカバーをボックスに嵌着するためのものである。一方、ボックスカバーは、平板状のカバー部と、カバー部から前面に突出して環状に形成された周壁とを備えている。また、カバー部の四辺には、ボックスの前面を嵌着するための嵌合外壁が設けられている。更に、カバー部の嵌合外壁には、ボックスの嵌合部と対向する位置に、ボックスの嵌合部を嵌合自在な被嵌合部が形成されている。また、ボックスカバーには、裏面から釘を挿入可能な釘挿入部が形成されている。
【０００４】
特許文献１に記載のボックス装置は、コンクリート内に埋設する場合、まず、ボックスカバーの周壁の先端面を型枠に当接させ、ボックスカバーの釘挿入部に釘を挿入して型枠に打ち付けることにより、ボックスカバーを型枠に固定する。その後、ボックスをボックスカバーの裏面側に押付けて、ボックスの外周縁部から外方に突出形成された嵌合部をボックスカバーの嵌合外壁に凹設された被嵌合部に強制的に押付けることにより、ボックスの嵌合部が弾性変形してボックスカバーの被嵌合部内に圧入される。このため、ボックスをボックスカバーに向けて押付けるだけの極めて簡単な操作で、ボックスをボックスカバーの裏面側に嵌着して取付けることができる。したがって、ボックス装置を型枠に固定する手間を大幅に削減することができる。
【発明の開示】
【発明が解決しようとする課題】
【０００５】
一方、特許文献１のボックス装置では、ボックスカバーは、周壁の先端面が型枠に当接した状態で型枠に固定されるため、ボックスカバーのカバー部が型枠から離間することになる。したがって、ボックスをボックスカバーに押付けて嵌着するときに、ボックスからの押圧力（荷重）により、ボックスカバーのカバー部が型枠に対して傾斜したり歪んだりし、ボックスカバーがこのように歪んだ状態で型枠に固定されてしまう可能性がある。この場合、型枠内へのコンクリートの打設後に、ボックス装置全体が歪んだ状態で固定されることになり、その後のボックス装置への配線作業等に支障をきたす可能性がある。
【０００６】
そこで、本発明は、ボックスを装着する際にボックスの嵌合部から加わる荷重によって全体が傾斜したり歪んだりすることを確実に防止し、型枠等への固定状態を正規の状態に確実に維持することができるボックスカバーの提供を課題とする。
【課題を解決するための手段】
【０００７】
請求項１に係るボックスカバーは、ボックスの開口周縁部に装着されて、前記ボックスの開口を覆うボックスカバーであって、前記ボックスの開口周縁部に対応する形状の外周縁部を有する板状の鍔部と、前記鍔部の外周縁部より内側で前記鍔部の厚さ方向一側面から突出する所定突出長の周壁状をなす塗代部と、前記鍔部の外周縁部において、前記ボックスの開口周縁部に所定間隔で設けられた嵌合部と整合する位置にそれぞれ設けられ、圧入により前記ボックスの嵌合部とそれぞれ嵌合自在な被嵌合部と、前記鍔部の外周縁部または外周縁部近傍において前記被嵌合部と対応する位置にそれぞれ設けられると共に、前記鍔部の厚さ方向一側面から前記塗代部の突出長と略同一の突出長で突出する支持突起とを備える。
【０００８】
請求項２に係るボックスカバーは、請求項１の構成において、前記ボックスの嵌合部及び前記鍔部の被嵌合部の一方を所定長さの嵌合爪部より構成すると共に、他方を前記嵌合爪部と同一外形の嵌合凹部より構成し、前記鍔部の支持突起を、前記被嵌合部の長さ方向の略中央位置から突出する棒状に形成した。
【０００９】
請求項３に係るボックスカバーは、開口周縁部において互いに対向する一対の対向側縁部の外面に各一対の嵌合爪部を所定間隔で形成したボックスの前記開口周縁部に装着されて、前記ボックスの開口周縁部の内側に形成される開口を覆うボックスカバーであって、前記ボックスの開口周縁部に対応する形状の外周縁部を有する板状の鍔部と、前記鍔部の外周縁部より内側で前記鍔部の厚さ方向一側面から突出する所定突出長の周壁状をなす塗代部と、前記鍔部の外周縁部の厚さ方向他側面から突出し、前記ボックスの開口周縁部の一対の対向側縁部の各々の外面に密接自在な内面を有する周壁状をなし、当該内面において前記ボックスの開口周縁部の一対の嵌合爪部と整合する位置に、それぞれ、前記ボックスの嵌合爪部を圧入して嵌合固定自在な一対の嵌合凹部を有する外壁部と、前記鍔部の厚さ方向一側面の外周縁部または外周縁部近傍において、前記ボックスの嵌合爪部を前記外壁部の嵌合凹部に圧入するときに前記嵌合爪部から前記鍔部の外周縁部に加わる荷重ベクトルの略延長線上で当該荷重ベクトルを支持するよう、前記嵌合凹部と対応する位置にそれぞれ設けられると共に、前記荷重ベクトルと略一致する方向へと前記鍔部の厚さ方向一側面から前記塗代部の突出長と略同一の突出長で突出する支持突起とを備える。
【００１０】
請求項４に係るボックスカバーは、請求項３の構成において、前記外壁部の嵌合凹部が、前記外壁部の長さ方向に沿って所定長さを有する直線凹部状をなし、前記支持突起は、前記鍔部の外周縁部における前記嵌合凹部の長さ方向の中心位置に配置され、前記ボックスの嵌合爪部を前記鍔部の嵌合凹部に圧入するときに前記嵌合爪部から前記鍔部の外周縁部に加わる荷重ベクトルの略延長線上で、前記荷重ベクトルと略一致する方向へと前記鍔部の厚さ方向一側面から前記突出長で突出する棒状をなし、当該棒状の軸心を前記荷重ベクトルに略一致させることで、当該荷重ベクトルを直接的に支持する。
【００１１】
請求項５に係るボックスカバーは、請求項４の構成において、前記外壁部が、更に、前記ボックスの嵌合爪部を前記嵌合凹部に圧入するときに前記ボックスの嵌合爪部と当接する内端縁の部位に、前記嵌合凹部の長さと略同一長さを有し、前記ボックスの嵌合爪部を前記嵌合凹部に案内する傾斜面状の案内面を形成し、前記支持突起は、前記案内面の長さ方向の中心位置に一致して配置され、前記ボックスの嵌合爪部を前記鍔部の嵌合凹部に圧入するときに前記嵌合爪部から前記外壁部の案内面を介して前記鍔部の外周縁部に加わる荷重ベクトルの延長線上で、その軸心を前記荷重ベクトルに一致させることで、その軸心方向応力により前記荷重ベクトルを直接的に支持する。
【００１２】
請求項６に係るボックスカバーは、請求項１乃至５のいずれかの構成において、前記支持突起が、前記塗代部の突出長より若干短い突出長を有する。
【発明の効果】
【００１３】
請求項１に係るボックスカバーは、上記のように構成したため、ボックスを装着する際にボックスの嵌合部から加わる荷重（押圧荷重）を、被嵌合部に対応する位置に配置した支持突起が確実に支持する。したがって、前記荷重によってボックスカバーの全体が傾斜したり歪んだりすることが確実に防止され、型枠等への固定状態が正規の状態に確実に維持される。
【００１４】
請求項２に係るボックスカバーは、請求項１の効果に加え、支持突起が被嵌合部の長さ方向の略中央位置から突出する棒状をなすため、ボックスからの荷重の略中心位置で荷重を支持することになり、より確実に荷重を支持することができる。
【００１５】
請求項３に係るボックスカバーは、上記のように構成したため、ボックスを装着する際にボックスの嵌合爪部から加わる荷重（押圧荷重）を、嵌合凹部に対応する位置に配置した支持突起が確実に支持する。したがって、前記荷重によってボックスカバーの全体が傾斜したり歪んだりすることが確実に防止され、型枠等への固定状態が正規の状態に確実に維持される。特に、支持突起が、ボックスの嵌合爪部を外壁部の嵌合凹部に圧入するときに嵌合爪部から鍔部の外周縁部に加わる荷重ベクトルの略延長線上で当該荷重ベクトルを支持すると共に、荷重ベクトルと略一致する方向へと突出するため、一層効果的に荷重を支持することができる。
【００１６】
請求項４に係るボックスカバーは、請求項３の効果に加え、支持突起が、嵌合凹部の長さ方向の中心位置に配置されると共に、荷重ベクトルの略延長線上で、荷重ベクトルと略一致する方向へと突出するためし、当該棒状の軸心が前記荷重ベクトルに略一致することになり、当該荷重ベクトルを直接的に支持することで、荷重ベクトルをより一層効果的に支持することができる。
【００１７】
請求項５に係るボックスカバーは、請求項４の効果に加え、支持突起が、案内面の長さ方向の中心位置に一致して配置されるため、荷重ベクトルの延長線上で、その軸心が荷重ベクトルに一致することになり、その軸心方向応力により荷重ベクトルを直接的に支持することで、荷重ベクトルをより一層効果的に支持することができる。
【００１８】
請求項６に係るボックスカバーは、請求項１乃至５のいずれかの効果に加え、支持突起が、塗代部の突出長より若干短い突出長を有するため、塗代部の一側及び他側間で不均等な押圧荷重が加わり、鍔部が取付対象物に向かって傾動するような必要時にのみ、その支持機能を発揮することができる。また、請求項６に係るボックスカバーをコンクリート壁等に埋設したときに、通常は、支持突起の先端がコンクリート壁等の外側面に露出することがなく、鍔部が取付対象物に向かって傾動して支持突起が前記支持機能を発揮するような必要時にのみ、支持突起の先端がコンクリート壁等の外側面に露出するため、施工後の見栄え等を向上することができる。
【発明を実施するための最良の形態】
【００１９】
以下、本発明を実施するための最良の形態（以下、実施の形態という）を説明する。なお、各実施の形態を通じ、同一の部材、要素または部分には同一の符号を付して、その説明を省略する。
【００２０】
実施の形態１
図１は本発明の実施の形態１に係るボックスカバーとボックスとの装着時の関係をボックスカバー側から見て示す斜視図である。図２は本発明の実施の形態１に係るボックスカバーとボックスとの装着時の関係をボックス側から見て示す斜視図である。図３は本発明の実施の形態１に係るボックスカバーの装着対象のボックスを示す平面図である。図４は本発明の実施の形態１に係るボックスカバーの装着対象のボックスを示す側面図である。図５は本発明の実施の形態１に係るボックスカバーを厚さ方向一側面側から見て示す平面図であり、支持突起部分を拡大して示す。図６は本発明の実施の形態１に係るボックスカバーを厚さ方向他側面側から見て示す底面図であり、支持突起部分を拡大して示す。図７は本発明の実施の形態１に係るボックスカバーの支持突起周辺を断面にて示す左側面図であり、同部分を拡大して示す。図８は本発明の実施の形態１に係るボックスカバーを示す正面図である。図９は図５のＡ−Ａ線断面図である。
【００２１】
図１〜図３に示すように、実施の形態１に係るボックスカバー２０は、ボックス１０と共にボックス装置を構成し、ボックス１０に対して嵌着して固定されるようになっている。詳細には、ボックス１０は、略矩形板状の底壁１１と、底壁１１の四辺に直交して一体的に立設された側壁１２とを有する矩形（正方形）箱状をなしている。ボックス１０の四辺の側壁１２の先端の内側縁により、矩形状（正方形状）の開口１２ａが形成されている。なお、四辺の側壁１２の先端部は、実施の形態１のボックス１０の開口周縁部を構成している。また、ボックス１０の側壁１２には、円形のノック部１３が打ち抜き自在に形成されている。更に、ボックス１０の左右の側壁１２の内側面の略点対照位置には、ねじ孔１４ａを有する小四角ブロック状の取付部１４が一体形成されている。取付部１４の先端面は側壁１２の先端面と面一となっている。また、ボックス１０の側壁１２の先端面の幅方向中央には、それぞれ、直線溝状の嵌合溝１５が各側壁１２の長さ方向の略全体を延びるよう形成されている。更に、ボックス１０の各側壁１２の先端部の外側面には、一対の嵌合部としての嵌合爪部１６が所定間隔で一体形成されている。各嵌合爪部１６は、断面四分円弧状をなし、その四分円弧状の湾曲面（当接面）を開口１２ａ側に向けた状態で、側壁１２の先端に沿って所定長さで延びている。また、各一対の嵌合爪部１６は、図４に示すように、対応する各側壁１２の両端付近（コーナー付近）にそれぞれ配置されている。更に、各嵌合爪部１６は、図５に示すように、湾曲面の一側縁が側壁１２の先端面と面一となるよう配置されている。加えて、各一対の嵌合爪部１６は、開口周縁部において互いに対向する一対の対向側縁部、即ち、図５では四辺の側壁１２のうちの前後の側壁１２の先端部の外面に、それぞれ、所定間隔で配置されている。
【００２２】
ボックスカバー２０は、図５〜図６に示すように、矩形状の外周縁部及び略小判状（略長円状）の内周縁部を有する板状の鍔部２１と、鍔部２１の内周縁部の厚さ方向一側面（前面）から突出する塗代部２２とを有する。鍔部２１の外周縁部は、ボックス１０の開口周縁部である四辺の側壁１２の先端部と対応する矩形状（正方形状）を有している。また、鍔部２１の外周縁部を構成する四辺の側縁部のうち、前後の側縁部には前後一対の第１の外壁部２３がそれぞれ鍔部２１と直交して突出するよう一体形成されると共に、左右の側縁部には左右一対の第２の外壁部２４がそれぞれ鍔部２１と直交して突出するよう一体形成されている。第１の外壁部２３は、図７に示すように、鍔部２１の前後の側縁部の長さ方向両端部２３ａ及び中央部２３ｂにおいて、鍔部２１の厚さ方向他側面（後面）から後方へと一定突出長（一定高さ）で突出する周壁状をなし、前記一対の端部２３ａと中央部２３ｂとの間をそれぞれ空隙部としている。一方、第２の外壁部２４は、図８に示すように、鍔部２１の左右の側縁部の長さ方向両端部２４ａ及び一対の中央部２４ｂにおいて、鍔部２１の後面から後方へと一定突出長（一定高さ）で突出する周壁状をなし、前記一対の端部２４ａと一対の中央部２４ｂとの間をそれぞれ空隙部としている。なお、ボックスカバー２０の鍔部２１の外周縁部をボックス１０の開口周縁部に重ね合わせて装着する際に、ボックスカバー２０の第１の外壁部２３の内面及び第２の外壁部２４の内面が、ボックス１０の四辺の側壁１２の先端部外面にそれぞれ当接して、ボックスカバー２０をボックス１０に対して前後左右に位置決めして装着できるようになっている。
【００２３】
特に、図７の拡大視にて示すように、第２の外壁部２４の一対の端部２４ａの基端部には、前記中央部２４ｂ寄りの位置に、それぞれ、その内面から外面の手前まで延びる被嵌合部としての嵌合凹部２５が形成されている。嵌合凹部２５は、ボックス１０の嵌合爪部１６の長さ及び幅と略同一の長さ及び幅を有する四角柱状の空間からなる。即ち、実施の形態１では、図１及び図２中の矢印による対応関係で示すように、一対の第２の外壁部２４が、内面においてボックス１０の開口周縁部の一対の嵌合爪部１６と整合する位置に、それぞれ、ボックス１０の嵌合爪部１６を圧入して嵌合固定自在な一対の嵌合凹部２５を有している。また、第２の外壁部２４の一対の端部２４ａの先端部には、各嵌合凹部２５と略同一位置に、湾曲状に面取りされた案内面２６が形成されている。即ち、実施の形態１では、第２の外壁部２４の各端部２４ａには、ボックス１０の嵌合爪部１６を嵌合凹部２５に圧入するときにボックス１０の嵌合爪部１６と当接する内端縁の部位に、湾曲傾斜面状乃至面取状の案内面２６が形成されている。案内面２６は、嵌合凹部２５の長さと略同一長さを有し、ボックス１０の嵌合爪部１６を嵌合凹部２５に案内するようになっている。このように、実施の形態１では、ボックスカバー２０の鍔部２１の前後の側縁部に設けた第２の外壁部２４にのみ、それぞれ、左右一対の嵌合凹部２５及び左右一対の案内面２６が設けられ、左右の側縁部に設けた第１の外壁部２３には同様の嵌合凹部２５等は設けられていない。そして、鍔部２１の外周縁部の第２の外壁部２４に設けた嵌合凹部２５は、圧入によりボックス１０の嵌合爪部１６とそれぞれ嵌合して固定自在となっている。
【００２４】
ボックスカバー２０の鍔部２１の前後の側縁部及び左右の側縁部の近傍には、前記ボックス１０の取付部１４のねじ孔１４ａに対応する位置に、それぞれ、取付ねじの軸部に対応して円形に打ち抜き自在な挿通孔部２７が形成されている。また、前後左右の向きを問わずにボックス１０にボックスカバー２０を装着した場合でも、いずれかの挿通孔部２７がボックス１０の取付部１４のねじ孔１４ａと整合するよう、鍔部２１には合計８つの挿通孔部２７が設けられている。一方、塗代部２２は、鍔部２１の外周縁部（前後左右の側縁部）より内側で、鍔部２１の前面から一定突出長（一定高さ）で前方へと突出する平面略小判状（略長円状）の周壁状に形成されている。塗代部２２の内周縁により開口２２ａが形成されている。また、塗代部２２の長径方向両側部の中央には、それぞれ、ねじ孔２８が形成されると共に、塗代部２２の長径方向両側部と短径方向両側部との間の４箇所のコーナー部付近には、それぞれ、釘挿入部２９が形成されている。更に、塗代部２２の外周面と鍔部２１の前面との間にはリブ３０が一体形成されている。また、鍔部２１の後面の第１の外壁部２３より所定距離内側には、それぞれ、前記ボックス１０の側壁１２の先端面の４つの嵌合溝１５のうち、いずれかの対の嵌合溝１５に嵌合する一対の嵌合突条３１が一体形成されている。
【００２５】
実施の形態１に係るボックスカバー２０は、更に、鍔部２１の外周縁部または外周縁部近傍において、第２の外壁部２４の端部２４ａの嵌合凹部２５と対応する位置に、それぞれ、支持突起３２を一体形成している。各支持突起３２は、円柱状の基端部と円錐台状の先端部とからなる棒状をなし、鍔部２１の厚さ方向一側面から塗代部２２の突出長と略同一の突出長で突出している。第２の外壁部２４の４個の嵌合凹部２５に対応して、４本の支持突起３２が、対応する嵌合凹部２５の中央部と重なる位置に設けられている。詳細には、各支持突起３２は、第２の外壁部２４の対応する各嵌合凹部２５の長さ方向の略中央位置から突出する棒状に形成されている。具体的には、支持突起３２は、鍔部２１の前面の外周縁部または外周縁部近傍において、ボックス１０の嵌合爪部１６をボックスカバー２０の第２の外壁部２４の嵌合凹部２５に圧入するときに前記嵌合爪部１６から第２の外壁部２４の当接端縁である内端縁を介して前記鍔部２１の外周縁部に加わる荷重ベクトルの略延長線上で当該荷重ベクトルを直接的に支持するよう、第２の外壁部２４の嵌合凹部２５と対応する位置にそれぞれ設けられている。また、各支持突起３２は、前記荷重ベクトルと略一致する方向へと鍔部２１の厚さ方向一側面から塗代部２２の突出長と略同一の突出長で突出している。より詳細には、実施の形態１では、第２の外壁部２４の嵌合凹部２５は、上記のように、第２の外壁部２４の長さ方向に沿って所定長さを有する直線凹部状をなす。一方、支持突起３２は、鍔部２１の外周縁部における嵌合凹部２５の長さ方向の中心位置に配置され、ボックス１０の嵌合爪部１６を鍔部２１の嵌合凹部２５に圧入するときに嵌合爪部１６から鍔部２１の外周縁部に加わる荷重ベクトルの略延長線上で、前記荷重ベクトルと略一致する方向へと鍔部２１の厚さ方向一側面から前記突出長で突出する棒状をなし、当該棒状の軸心を前記荷重ベクトルに略一致させることで、当該荷重ベクトルを直接的に支持するようになっている。
【００２６】
支持突起３２は、第２の外壁部２４の端部２４ａの案内面２６の長さ方向の中心位置に一致して配置され、ボックス１０の嵌合爪部１６をボックスカバー２０の鍔部２１の嵌合凹部２５に圧入するときに嵌合爪部１６から第２の外壁部２４の案内面２６を介して鍔部２１の外周縁部に加わる荷重ベクトルの延長線上で、その軸心を前記荷重ベクトルに一致させることで、その軸心方向応力により前記荷重ベクトルを直接的に支持するようになっている。更に、支持突起３２は、図５の拡大視にて示すように、嵌合凹部２５の長さ方向中心位置に一致する案内面２６の長さ方向中心位置に配置されると共に、図７の拡大視にて示すように、支持突起３２の軸心が第２の外壁部２４の端部２４ａの内端縁を構成する案内面２６の幅方向端縁上における長さ方向中心位置に一致するよう配置されている。更に、支持突起３２は、塗代部２２の突出長より若干（所定長Ｘ）だけ短い突出長を有する。これにより、図７及び図８に示すように、支持突起３２の先端は、塗代部２２の先端面より若干（所定長Ｘ分）低い位置に配置されている。
【００２７】
次に、実施の形態１に係るボックスカバーの使用方法並びにその作用及び効果について説明する。図１０は本発明の実施の形態１に係るボックスカバーを取付対象物に固定した状態でボックスをボックスカバーに取付ける作業方法を示す正面図であり、（ａ）はボックスをボックスカバーに装着する直前の状態を、（ｂ）はボックスをボックスカバーに装着した状態を示す。
【００２８】
図１０に示すように、実施の形態１に係るボックスカバー２０は、まず、取付対象物１００（例えば、型枠）の内側面１０１に塗代部２２の先端面の全体を当接させた状態で、釘挿入部に釘を挿入して取付対象物１００の内側面１０１に打ち込むことにより、取付対象物１００にその状態で固定する。この状態で、ボックス１０をボックスカバー２０に装着するには、図１０（ａ）に示すように、ボックス１０をボックスカバー２０に向かって接近させ、開口１２ａの周縁部を鍔部２１の外周縁部に重ねると共に、ボックスカバー２０の前後一対の第２の外壁部２４のうち、一方（例えば図１０の手前側）の第２の外壁部２４の左右一対の嵌合凹部２５内に、ボックス１０のいずれか一つ（例えば図１０の手前側）の側壁１２の外面の左右一対の嵌合爪部１６を嵌合する。これにより、ボックス１０の当該側壁１２の先端部外面がボックスカバー２０の一方の第２の外壁部２４の内面に当接する。この状態で、ボックス１０の当該側壁１２と反対側の（図１０の奥側）側壁１２の外面の左右一対の嵌合爪部１６は、その湾曲面（当接面）がボックスカバー２０の他方（図１０の奥側）の第２の外壁部２４において、前記左右一対の案内面２６上に載置されている。この状態から、ボックス１０の反対側（図１０の奥側）の側壁１２及び底壁１１の奥側部分をボックスカバー２０に向かって押圧し、奥側の側壁１２上の嵌合爪部１６をボックスカバー２０の第２の外壁部２４の嵌合凹部２５内に圧入する。このとき、第２の外壁部２４の案内面が、嵌合爪部１６を移動案内するため、嵌合爪部１６を第２の外壁部２４の嵌合凹部２５内に円滑に圧入することができる。
【００２９】
ここで、ボックスカバー２０は、塗代部２２の先端面が取付対象物１００の内側面１０１に当接した状態で取付対象物１００に固定されるため、ボックスカバー２０の鍔部２１が取付対象物１００から離間することになる。したがって、従来例のようにボックスカバー２０の鍔部２１に支持突起３２が設けられていない場合、ボックス１０をボックスカバー２０に向かって押圧して、嵌合爪部１６を第２の外壁部２４の嵌合凹部２５内に嵌合するときに、ボックス１０からボックスカバー２０の鍔部２１の奥側に加えられる押圧力（押圧荷重）により、ボックスカバー２０の鍔部２１の奥側が塗代部２２の奥側端縁を支点として傾動し、取付対象物１００に対して接近移動する可能性がある。この場合、取付対象物１００に釘打ちしたボックスカバー２０が、このように歪んだ状態で取付対象物１００に固定されてしまい、その後の配線作業等に支障を来たす可能性がある。しかし、実施の形態１では、ボックスカバー２０の鍔部２１の嵌合凹部２５に対応する位置に、それぞれ、支持突起３２が一体形成されている。したがって、嵌合爪部１６を第２の外壁部２４の嵌合凹部２５内に嵌合する際に、ボックス１０からボックスカバー２０の鍔部２１の奥側に押圧荷重が加えられ、ボックスカバー２０の鍔部２１の奥側が塗代部２２の奥側端縁を支点として傾動しようとしても、奥側の左右一対の支持突起３２の先端が取付対象物１００の内側面１０１に当接して前記押圧荷重を支持し、鍔部２１の傾動を防止する。
【００３０】
このとき、支持突起３２は、ボックス１０の嵌合爪部１６をボックスカバー２０の第２の外壁部２４の嵌合凹部２５に圧入するときに嵌合爪部１６から第２の外壁部２４の当接端縁である内端縁を介して前記鍔部２１の外周縁部に加わる押圧荷重ベクトルの略延長線上で、当該押圧荷重を直接的に支持するため、前記押圧荷重程度の力には十分に対抗することができる。その結果、ボックスカバー２０の鍔部２１が取付対象物１００に対して接近移動して歪んだ状態で取付対象物１００に固定されてしまうことはなく、その後の配線作業等に支障を来たすといった不具合を確実に防止することができる。特に、実施の形態１では、支持突起３２は、鍔部２１の外周縁部における嵌合凹部２５の長さ方向の中心位置に配置され、前記押圧荷重ベクトルの略延長線上で、前記押圧荷重ベクトルと略一致する方向へと鍔部２１の厚さ方向一側面から前記突出長で突出する棒状をなすため、当該棒状の軸心を前記押圧荷重ベクトルに略一致させることで、当該押圧荷重を直接的に確実に支持することができる。更に、支持突起３２は、第２の外壁部２４の端部２４ａの案内面２６の長さ方向の中心位置に一致して配置されるため、前記押圧荷重ベクトルの延長線上で、その軸心を前記押圧荷重ベクトルに一致させることで、その軸心方向応力により前記押圧荷重を直接的に支持することができ、一層効果的に荷重を支持することができる。加えて、支持突起３２は、その軸心が第２の外壁部２４の端部２４ａの案内面２６の長さ方向中心位置に一致するよう配置されるため、その軸心が前記押圧荷重ベクトルにより確実に一致し、その軸心方向応力により前記押圧荷重を一層直接的に支持して、より一層効果的に荷重を支持することができる。
【００３１】
一方、このとき、ボックスカバー２０の鍔部２１の前面から直交して突出する４本の支持突起３２が、塗代部２２より若干短い突出長とされるため、取付対象物１００の内側面に多少の凹凸や小湾曲部が存在しても、支持突起３２の先端がかかる凹凸や小湾曲部と干渉して、塗代部２２の一部が取付対象物１００の内側面１０１から若干浮き上がる等の不具合が発生することはなく、支持突起３２を設けることで塗代部２２の先端面の全面が取付対象物１００の内側面１０１に均等に当接しなくなるといった事態を効果的に防止することができる。また、支持突起が塗代部２２と同一突出長で鍔部２１の前面から突出する場合、塗代部２２を取付対象物１００の内側面に当接固定した状態では、支持突起の先端も取付対象物１００の内側面１０１に当接した状態となる。この場合、上記嵌合爪部１６から第２の外壁部２４を介して鍔部２１の外周縁部に加わる押圧荷重が、塗代部２２に略均等に伝達されて塗代部２２が傾動せず、鍔部２１も傾動しないような場合にまで、即座に支持突起３２に伝達されることになる。すると、前記押圧荷重により鍔部２１の被押圧側（上記の説明の場合、奥側）が弾性変形して、鍔部２１の前面の一方側が取付対象物１００の内側面１０１に若干接近した場合にも、支持突起３２に荷重が加わることになる。即ち、支持突起３２による支持を必要としない場合にまで、支持突起３２による支持を行うことになる。しかし、実施の形態１では、初期状態で、被押圧側の支持突起３２の先端と取付対象物１００の内側面との間には、若干の隙間が設けられているため、かかる場合にまで前記押圧荷重が即座に支持突起３２に伝達されることがない。その結果、支持突起３２は、塗代部２２の一側及び他側間で不均等な押圧荷重が加わり、鍔部２１が取付対象物１００の内側面１０１に向かって傾動するような必要時にのみ、その支持機能を発揮することができる。この観点から、前記支持突起３２の先端と塗代部２２の先端面との間の距離（所定長Ｘ）は、上記押圧荷重による鍔部２１の弾性変形分程度とすることが好ましい。
【００３２】
実施の形態２
図１１は本発明の実施の形態２に係るボックスカバーを厚さ方向一側面側から見て示す平面図である。図１２は本発明の実施の形態２に係るボックスカバーを示す左側面図である。図１３は本発明の実施の形態２に係るボックスカバーを示す正面図である。
実施の形態２に係るボックスカバー１２０は、図１１〜図１３に示すように、鍔部１２１の内周縁の形状を、実施の形態１の鍔部２１の小判状より小さな小判状としている。これに合わせて、鍔部１２１の前面から突出する塗代部１２２も、実施の形態１の塗代部２２より小さな平面小判状の周壁状に形成されている。よって、塗代部１２２の内周縁により形成される開口１２２ａも、実施の形態１の塗代部２２の開口２２ａより小さな小判状となっている。また、実施の形態２では、第２の外壁部１２４は、実施の形態１の第２の外壁部２４の端部２４ａと同様の左右一対の端部１２４ａと、両端部１２４ａの中央に配置される一つの中央部１２４ｂとから構成されている。更に、支持突起３２は、鍔部１２１の嵌合部２５及び案内面２６の長さ方向中心に配置される。一方、支持突起３２の軸心は、実施の形態１のように案内面２６の内端縁上に配置されることなく、案内面２６の内端縁より若干内方の位置に配置されている。詳細には、支持突起３２は、その外周面が案内面２６の内端縁より若干内方の位置となるよう配置されている。実施の形態２に係るボックスカバー１２０のそれ以外の構成は、実施の形態１に係るボックスカバー２０と同様である。このように構成した実施の形態２に係るボックスカバー１２０も、実施の形態１に係るボックスカバー２０と同様にして使用され、同様の作用及び効果を発揮する。
【００３３】
実施の形態３
図１４は本発明の実施の形態３に係るボックスカバーを厚さ方向一側面側から見て示す平面図である。図１５は図１４のＢ−Ｂ線断面図である。図１６は本発明の実施の形態３に係るボックスカバーを示す正面図であり、支持突起部分を拡大して断面にて示す。
実施の形態３に係るボックスカバー２２０は、図１４〜図１６に示すように、鍔部２２１の内周縁の形状を、外周縁と相似する矩形状に形成すると共に、外周縁と内周縁との距離を非常に小さく設定している。これに合わせて、鍔部２２１の前面から突出する塗代部２２２は、平面矩形状の周壁状に形成されている。よって、塗代部２２２の内周縁により形成される開口２２２ａも、矩形状となっている。また、実施の形態３では、第２の外壁部２２４は、実施の形態２の第２の外壁部１２４の長さ方向中央にスリットを形成した形状の左右一対の端部２２４ａと、両端部２２４ａの中央に配置される一つの中央部２２４ｂとから構成されている。更に、支持突起３２は、鍔部２２１の嵌合部２５及び案内面２６の長さ方向中心に配置される。一方、支持突起３２の軸心は、実施の形態１のように案内面２６の内端縁上に配置されることなく、案内面２６の内端縁より若干内方の位置に配置されている。詳細には、支持突起３２は、その外周面が案内面２６の内端縁上の位置となるよう配置されている。実施の形態３に係るボックスカバー２２０のそれ以外の構成は、実施の形態１に係るボックスカバー２０と同様である。このように構成した実施の形態３に係るボックスカバー２２０も、実施の形態１に係るボックスカバー２０と同様にして使用され、同様の作用及び効果を発揮する。
【００３４】
実施の形態４
図１７は本発明の実施の形態４に係るボックスカバーを厚さ方向一側面側から見て示す平面図である。図１８は本発明の実施の形態４に係るボックスカバーを示す左側面図である。
実施の形態４に係るボックスカバー３２０は、図１７〜図１８に示すように、鍔部３２１の内周縁の形状を円形状に形成すると共に、外周縁と内周縁との距離を小さく設定している。これに合わせて、鍔部３２１の前面から突出する塗代部３２２は、平面円形状の周壁状（円筒状）に形成されている。よって、塗代部３２２の内周縁により形成される開口３２２ａも、円形状となっている。また、実施の形態４では、支持突起３２は、鍔部３２１の嵌合部２５及び案内面２６の長さ方向中心に配置される。一方、支持突起３２の軸心は、実施の形態１のように案内面２６の内端縁上に配置されることなく、案内面２６の内端縁より若干内方の位置に配置されている。詳細には、支持突起３２は、実施の形態２と同様、その外周面が案内面２６の内端縁より若干内方の位置となるよう配置されている。実施の形態４に係るボックスカバー３２０のそれ以外の構成は、実施の形態１に係るボックスカバー２０と同様である。このように構成した実施の形態４に係るボックスカバー２２０も、実施の形態１に係るボックスカバー２０と同様にして使用され、同様の作用及び効果を発揮する。
【００３５】
ところで、上記各実施の形態では、ボックス１０の嵌合部として開口周縁部の外面に嵌合爪部１６を設け、ボックスカバー２０，１２０，２２０，３２０の被嵌合部として鍔部２１，１２１，２２１，３２１の外周縁部に嵌合凹部２５を設けたが、これと逆に、ボックス１０の嵌合部として開口周縁部の外面に嵌合凹部を設け、ボックスカバー２０，１２０，２２０，３２０の被嵌合部として、鍔部２１，１２１，２２１，３２１の外周縁部に、前記嵌合凹部に圧入して嵌合固定自在な嵌合爪部を設けてもよい。即ち、ボックス１０の嵌合部及びボックスカバー２０，１２０，２２０，３２０の鍔部２１，１２１，２２１，３２１の被嵌合部の一方を所定長さの嵌合爪部より構成すると共に、他方を前記嵌合爪部と同一外形の嵌合凹部より構成することができる。このように、ボックス１０の嵌合部とボックスカバー２０，１２０，２２０，３２０の嵌合凹部とは、凹凸の関係で互いに嵌合して固定自在な限りにおいて、任意の構成を採用することができる。
【００３６】
また、支持突起は、塗代部２２，１２２，２２２，３２２より所定長Ｘだけ短い所定突出長としたが、塗代部２２，１２２，２２２，３２２と同一の所定突出長とすることも可能である。更に、支持突起の形状は、上記各実施の形態の円柱部と円錐台部との組み合わせ形状とする以外に、単なる円柱状、単なる円錐台状、角柱状、板状等、任意の計上とすることができる。即ち、支持突起は、鍔部の外周縁部または外周縁部近傍において被嵌合部と対応する位置にそれぞれ設けられると共に、鍔部の厚さ方向一側面から塗代部の突出長と略同一の突出長で突出する限りにおいて、任意の構成とすることができる。更に、ボックスの形状も上記各実施の形態の矩形箱状に限定するものではない。よって、本発明のボックスカバーの形状も、ボックスの形状に対応した形状となり、上記各実施の形態の矩形箱状に限定するものではない。
【図面の簡単な説明】
【００３７】
【図１】図１は本発明の実施の形態１に係るボックスカバーとボックスとの装着時の関係をボックスカバー側から見て示す斜視図である。
【図２】図２は本発明の実施の形態１に係るボックスカバーとボックスとの装着時の関係をボックス側から見て示す斜視図である。
【図３】図３は本発明の実施の形態１に係るボックスカバーの装着対象のボックスを示す平面図である。
【図４】図４は本発明の実施の形態１に係るボックスカバーの装着対象のボックスを示す側面図である。
【図５】図５は本発明の実施の形態１に係るボックスカバーを厚さ方向一側面側から見て示す平面図であり、支持突起部分を拡大して示す。
【図６】図６は本発明の実施の形態１に係るボックスカバーを厚さ方向他側面側から見て示す底面図であり、支持突起部分を拡大して示す。
【図７】図７は本発明の実施の形態１に係るボックスカバーの支持突起周辺を断面にて示す左側面図であり、同部分を拡大して示す。
【図８】図８は本発明の実施の形態１に係るボックスカバーを示す正面図である。
【図９】図９は図５のＡ−Ａ線断面図である。
【図１０】図１０は本発明の実施の形態１に係るボックスカバーを取付対象物に固定した状態でボックスをボックスカバーに取付ける作業方法を示す正面図であり、（ａ）はボックスをボックスカバーに装着する直前の状態を、（ｂ）はボックスをボックスカバーに装着した状態を示す。
【図１１】図１１は本発明の実施の形態２に係るボックスカバーを厚さ方向一側面側から見て示す平面図である。
【図１２】図１２は本発明の実施の形態２に係るボックスカバーを示す左側面図である。
【図１３】図１３は本発明の実施の形態２に係るボックスカバーを示す正面図である。
【図１４】図１４は本発明の実施の形態３に係るボックスカバーを厚さ方向一側面側から見て示す平面図である。
【図１５】図１５は図１４のＢ−Ｂ線断面図である。
【図１６】図１６は本発明の実施の形態３に係るボックスカバーを示す正面図であり、支持突起部分を拡大して断面にて示す。
【図１７】図１７は本発明の実施の形態４に係るボックスカバーを厚さ方向一側面側から見て示す平面図である。
【図１８】図１８は本発明の実施の形態４に係るボックスカバーを示す左側面図である。
【符号の説明】
【００３８】
１０：ボックス、１２ａ：開口、１６：嵌合爪部（嵌合部）
２０：ボックスカバー、２１：鍔部、２２：塗代部
２４：第２の外壁部（外壁部）、２５：嵌合凹部（被嵌合部）
２６：案内面、３２：支持突起
１２０：ボックスカバー、１２１：鍔部、１２２：塗代部
２２０：ボックスカバー、２２１：鍔部、２２２：塗代部
３２０：ボックスカバー、３２１：鍔部、３２２：塗代部
【図１】
2006333692.tif 000003
【図２】
2006333692.tif 000004
【図３】
2006333692.tif 000005
【図４】
2006333692.tif 000006
【図５】
2006333692.tif 000007
【図６】
2006333692.tif 000008
【図７】
2006333692.tif 000009
【図８】
2006333692.tif 000010
【図９】
2006333692.tif 000011
【図１０】
2006333692.tif 000012
【図１１】
2006333692.tif 000013
【図１２】
2006333692.tif 000014
【図１３】
2006333692.tif 000015
【図１４】
2006333692.tif 000016
【図１５】
2006333692.tif 000017
【図１６】
2006333692.tif 000018
【図１７】
2006333692.tif 000019
【図１８】
2006333692.tif 000020